(57)【特許請求の範囲】
【請求項１】
オープンショーケース本体の前面の商品取出口を覆うカバー体を有するナイトカバー装置を備えたナイトカバー付きオープンショーケースにおいて、
前記オープンショーケース本体の天井部内には前記ナイトカバー装置を設置し、前記天井部の上部のうち前記商品取出口の上縁部から後方に離隔した部位には前記カバー体を該天井部の外に引き出し可能なスリットを設けた
ことを特徴とするナイトカバー付きオープンショーケース。
【請求項２】
オープンショーケース本体の前面の商品取出口を覆うカバー体を有するナイトカバー装置を備えたナイトカバー付きオープンショーケースにおいて、
前記オープンショーケース本体の天井部は、冷却用空気が通る冷気ダクトの上板と、前記オープンショーケース本体の天板と、該上板と該天板との間に形成された間隙とを有し、該間隙には前記ナイトカバー装置を設置し、該天板のうち前記商品取出口の上縁部から後方に離隔した部位には前記カバー体を引き出すためのスリットを設けた
ことを特徴とするナイトカバー付きオープンショーケース。
【発明の詳細な説明】
【０００１】
【発明の属する技術分野】
本発明は、店舗等の営業時間終了後に商品取出口を覆うナイトカバーを備えたナイトカバー付きオープンショーケースに関するものである。
【０００２】
【従来の技術】
スーパーマーケット等の店舗に設置されているオープンショーケースにおいては、冷凍商品や冷蔵商品を収納している関係上、営業時間が終了した後にもオープンショーケースの冷却運転を行っている。また、この冷却運転はその冷却負荷をできるだけ小さくするため、商品取出口をナイトカバーで覆うようにしている。
【０００３】
このようなナイトカバー装置は、一般にはオープンショーケース本体の天板の上に設置したり、或いは、商品取出口の上縁部に設置しており、ナイトカバーで商品取出口を覆う際は、ナイトカバーの先端のフックを下方に向かって引き、商品取出口の下縁部に設置された引っ掛け金具にフックを引っ掛け、商品取出口を覆っている。
【０００４】
【発明が解決しようとする課題】
しかしながら、オープンショーケース本体の天板上にナイトカバー装置を設置する構造では、ナイトカバー装置がオープンショーケースの外にむき出しとなっており、オープンショーケースのショー効果を損なうという問題点を有していた。一方、オープンショーケースの商品取出口の上縁部にナイトカバー装置を設置する構造では、商品取出口の上縁部にナイトカバー装置用の設置スペースを用意しなければならないため、その分、この上縁部の高さ位置がやや低くなり、上部に収納される商品の視認を妨げたり、或いは、上部収納商品を取り出す際や収納する際にナイトカバー装置が邪魔になるという問題点を有していた。
【０００５】
本発明の目的は前記従来の問題点に鑑み、商品取出口の上縁部の高さ位置が低くなることがなく、また、ショー効果を損なうことがないナイトカバー付きオープンショーケースを提供することにある。
【０００６】
【課題を解決するための手段】
本発明は前記課題を解決するため、オープンショーケース本体の前面の商品取出口を覆うカバー体を有するナイトカバー装置を備えたナイトカバー付きオープンショーケースにおいて、オープンショーケース本体の天井部内にはナイトカバー装置を設置し、天井部の上部のうち商品取出口の上縁部から後方に離隔した部位にはカバー体を天井部の外に引き出し可能なスリットを設けた構造となっている。
【０００７】
本発明によれば、常時は天井部内にナイトカバー装置が収納され外部から見え難くなっているため、オープンショーケースのショー効果を損なうことがない。また、商品取出口の上縁部の高さ位置が低くなることもない。
【０００８】
【発明の実施の形態】
図１及び図２は本発明に係るナイトカバー付きオープンショーケースの一実施形態を示すもので、図１はオープンショーケースの斜視図、図２はオープンショーケースの天井部を示す断面図である。なお、この実施形態では小型オープンショーケース（幅６５０×奥行５２０×高さ１４００ｍｍ）を例として掲げ説明する。
【０００９】
このオープンショーケースは小型商品（小型瓶入り商品等）を陳列するオープンショーケースであり、前面を商品取出口１１用に開口したオープンショーケース本体１（以下、ケース本体という）と、ケース本体１の下方に設置された冷却機器の機械室２とを有し、ケース本体１の商品収納部１２には複数段に商品棚１３が設置されている。また、商品収納部１２の下側、背面側及び上面側には冷気を循環する冷気ダクト１４を有し、冷気を下側→背面側→上面側→商品取出口１１→下側と順次循環して商品収納部１２の前面にエアーカーテンを形成している。
【００１０】
以上のような構成は従来のオープンショーケースと同様であり、本実施形態に係るオープンショーケースはケース本体１の天井部１５にナイトカバー装置３を設置した点に特徴を有する。この特徴的構造を図２を参照して説明する。
【００１１】
即ち、ケース本体１の天井部１５は冷気ダクト１４の上板１５１と、その上方に間隙１５２をおいて配置された天板１５３とを有している。この天板１５３は前方に向かって徐々に下側に湾曲した前天板１５３ａと、前天板１５３ａから後方に向かって延在した後天板１５３ｂとを有しており、この前天板１５３ａは収納商品の商品名等が記載できる広告面として利用される。また、後天板１５３ｂには図１に示すように横方向に延びるスリット１５３ｃが形成されており、このスリット１５３ｃを通じて後述するカバー体３１が引き出されるようになっている。
【００１２】
このように構成された天井部１５において、その間隙１５２に図２に示すナイトカバー装置３が設置されている。このナイトカバー装置３の構造は従来装置と同様に構成されており、展開自在のカバー体３１と、カバー体３１をバネ付勢により巻き付けている巻き付け部３２とを有している。この巻き付け部３２は冷気ダクト１４の上板１５１の後部に取り付け金具３３を介して設置されている。また、カバー体３１の先端にはフック３４が取り付けられており、このフック３４が常時はスリット１５３ｃを通って天井部１５の上方に少しだけ飛び出している。なお、商品取出口１１の下縁部には、図１に示すように、ナイトカバー装置３のフック３４を引っ掛ける引っ掛け金具３５が設けられている。
【００１３】
本実施形態に係るオープンショーケースにおいて、フック３４を上方に引っ張ると、カバー体３１がスリット１５３ｃを通じて引き出され、図２の２点鎖線で示すようにフック３４を引っ掛け金具３５に向かって引き下ろし、フック３４をこれに引っ掛けることにより、商品取出口１１がカバー体３１で覆われ、そして商品収納部１２が隠蔽される。
【００１４】
本実施形態によれば、ナイトカバー装置３が天井部１５の内部に設置されているため、常時はナイトカバー装置３が外部から見え難くなっており、オープンショーケースのショー効果を損なうことがない。また、従来の如くナイトカバー装置３を商品取出口１１の上縁部に設置するものでないため、この上縁部の高さ位置が低くなることもない。
【００１５】
【発明の効果】
以上説明したように、本発明によれば、常時は天井部内にナイトカバー装置が収納され外部から見え難くなっているため、オープンショーケースのショー効果を損なうことがない。
【００１６】
また、従来の如く、ナイトカバー装置を商品取出口の上縁部に設置するものでないため、この上縁部の高さ位置が低くなることがなく、商品の視認範囲が狭くなったり、上部収納商品を取り出す際や収納する際にナイトカバー装置が邪魔になることもない。
【図面の簡単な説明】
【図１】図１はオープンショーケースの斜視図
【図２】オープンショーケースの天井部を示す断面図
【符号の説明】
１…オープンショーケース本体、３…ナイトカバー装置、１１…商品取出口、１５…天井部。
【図１】
0003850236.tif 000002
【図２】
0003850236.tif 000003